(57)【要約】 【課題】  小型で信頼性の高い光学部品を汚したり、損傷したりすることなく搭載することができる光ピックアップ装置および電子機器を提供する。【解決手段】  対物レンズ１５は、レンズとして機能する有効領域Ｒ１とそれ以外の非有効領域Ｒ２とに分けられ、非有効領域Ｒ２のうちの一部がレンズ設置台１６に接してレンズ設置台１６に搭載される。把持部材２１は、たとえば樹脂材料によって形成される部材であり、対物レンズ１５の面のうち光ディスク２に対向する面の非有効領域Ｒ２の部分で対物レンズ１５に取付けられ、対物レンズ１５を支持する。把持部材２１として樹脂材料を用いるので、軽量化および低コスト化が可能である。さらに、把持部材２１を掴んで対物レンズ１５を取扱うことによって、対物レンズ１５の有効領域Ｒ１を汚したり、損傷したりすることを防止することができる。【選択図】      図１
2009093751.tif 000002
【特許請求の範囲】
【請求項１】
光を出射する光源と、
情報を記録する記録媒体で反射される反射光を受光する受光素子と、
光源から出射される光を記録媒体に導き、かつ記録媒体で反射される反射光を受光素子に導く光学部品と、
光学部品に取付けて設けられ、把持するための把持部材とを含むことを特徴とする光ピックアップ装置。
【請求項２】
前記把持部材は、光学部品のうち、有効に用いられる光が通過する有効領域を除く残余の非有効領域で光学部品に固定されることを特徴とする請求項１に記載の光ピックアップ装置。
【請求項３】
前記把持部材は、樹脂材料からなることを特徴とする請求項１に記載の光ピックアップ装置。
【請求項４】
前記光学部品は、光源からの光を記録媒体上で集光させ、かつ記録媒体で反射される反射光を平行光とする対物レンズであることを特徴とする請求項１に記載の光ピックアップ装置。
【請求項５】
前記把持部材は、前記対物レンズの面のうち、記録媒体に対向する面とは異なる面で前記対物レンズに取付けられることを特徴とする請求項４に記載の光ピックアップ装置。
【請求項６】
前記対物レンズを搭載する基台をさらに含むことを特徴とする請求項５に記載の光ピックアップ装置。
【請求項７】
前記基台は、前記対物レンズの一表面の外周部の少なくとも一部と接触して前記対物レンズを搭載し、かつ前記基台の面のうち前記把持部材に対向する第１の面が、前記把持部材の面のうち第１の面に対向する第２の面と接触しないことを特徴とする請求項６に記載の光ピックアップ装置。
【請求項８】
前記第１の面は、前記基台の面に形成される凹状の溝の底面であり、
その凹状の溝は、その凹状の溝の底面に垂直な方向の前記把持部材の厚みよりも深く、
前記第１の面の面積は、前記第２の面の面積よりも大きいことを特徴とする請求項７に記載の光ピックアップ装置。
【請求項９】
前記基台は、２個の前記対物レンズを搭載可能であり、
前記凹状の溝は、２個の前記対物レンズの間に形成され、
各前記対物レンズに取付けて設けられるそれぞれの前記把持部材は、接することなく対向して前記凹状の溝に収容されることを特徴とする請求項８に記載の光ピックアップ装置。
【請求項１０】
前記把持部材は、前記対物レンズの面のうち記録媒体に対向する面で前記対物レンズに取付けられ、前記把持部材の面のうち記録媒体に対向する面が、前記対物レンズよりも記録媒体に近接していることを特徴とする請求項４に記載の光ピックアップ装置。
【請求項１１】
前記把持部材は、予め定める条件によってグループに分類され、グループごとに異なる形態であることを特徴とする請求項３に記載の光ピックアップ装置。
【請求項１２】
請求項１〜１１のうちのいずれか１つに記載の光ピックアップ装置を搭載することを特徴とする電子機器。
【発明の詳細な説明】
【技術分野】
【０００１】
本発明は、光を用いて情報を記録媒体に記録する光ピックアップ装置および電子機器に関する。
【背景技術】
【０００２】
光ピックアップ装置は、最近需要が非常に高まっている自動車に搭載されるカーナビゲーションシステム、あるいは高密度情報を取扱う次世代ブルーレイディスク（Blue-ray  Disc）システムなどの電子機器に用いられる。これらの電子機器に用いられる光ピックアップ装置は、従来の薄型のノート型パーソナルコンピュータなどに内蔵される光ピックアップ装置と比較して、温度変化、埃、およびディスクの複屈折などの影響を受けやすい環境で用いられ、より高い信頼性が要求される。
【０００３】
したがって、高性能かつ高信頼性の光ピックアップ装置を提供するためには、環境温度変化および埃の影響を考えた設計を行うことが必要である。さらに、ピックアップ装置に搭載する光学部品の取扱いは性能に直結しているので、生産工程では光学部品の取扱いには十分注意する必要がある。
【０００４】
図８は、従来の技術による対物レンズ１１５の取付け方法を説明するための図である。従来、対物レンズ１１５をレンズ設置台１１６に搭載するとき、エアピンセット３２によって対物レンズ１１５を保持して、レンズ設置台１１６に搭載する。このとき、エアピンセット３２は、対物レンズ１１５と接触して保持するので、対物レンズ１１５を汚したり、損傷したりする可能性がある。
【０００５】
このように、現状の生産工程では、対物レンズ１１５などの光学部品が汚れたり、損傷したりすることによって、光ピックアップ装置の性能を悪化させる不具合が数％程度発生する。高性能かつ高信頼性の光ピックアップ装置を実現するためには、この問題を解決する必要がある。
【０００６】
第１の従来の技術である光学部品用ホルダは、光学部品であるプリズムの損傷を防止するためのホルダである。この光学部品用ホルダは、光学部品用ホルダの構成部材である遮光絞りを利用してホルダ本体の両側の側板を補強するようにしたものであり、プリズム全体を覆うように構成される（たとえば特許文献１参照）。
【０００７】
第２の従来の技術である光学装置は、光学部品である集光レンズを装着基台に搭載するとき、集光レンズの装着位置を調整するための調整手段を有する。この調整手段は、集光レンズの中心軸に垂直な方向に集光レンズから突出し棒状に延びて形成される突出片である。装着基台には、集光レンズを臨み集光レンズの中心軸に垂直な方向に装着基台を貫通する貫通孔が形成され、この貫通孔に前記突出辺を挿通することによって、集光レンズが装着位置に配置される。集光レンズを装着位置に搭載するとき、突出片を把持して集光レンズを移動させることができる（たとえば特許文献２参照）。
【０００８】
【特許文献１】特開２００１−２２８３８８号公報
【特許文献２】特開２００５−１５８１７６号公報
【発明の開示】
【発明が解決しようとする課題】
【０００９】
しかしながら、第１の従来の技術は、光学部品であるプリズムの損傷を防止することはできるが、光学部品全体を覆うものであり、形状が大きくなるという問題がある。
【００１０】
第２の従来の技術は、集光レンズを装着位置に搭載するとき、突出片を把持して集光レンズを移動させることができるので、集光レンズの損傷を防止することができる。さらに光学部品の材料として樹脂材料を用いているので、光学部品の成型時に突出辺を一体に形成することができるが、樹脂の流動性が不安定になりやすく、レンズの光学的特性に影響が生じ、信頼性が低下する可能性があるという問題がある。
【００１１】
本発明の目的は、小型で信頼性の高い光学部品を汚したり、損傷したりすることなく搭載することができる光ピックアップ装置および電子機器を提供することである。
【課題を解決するための手段】
【００１２】
本発明は、光を出射する光源と、
情報を記録する記録媒体で反射される反射光を受光する受光素子と、
光源から出射される光を記録媒体に導き、かつ記録媒体で反射される反射光を受光素子に導く光学部品と、
光学部品に取付けて設けられ、把持するための把持部材とを含むことを特徴とする光ピックアップ装置である。
【００１３】
また本発明は、前記把持部材は、光学部品のうち、有効に用いられる光が通過する有効領域を除く残余の非有効領域で光学部品に固定されることを特徴とする。
【００１４】
また本発明は、前記把持部材は、樹脂材料からなることを特徴とする。
また本発明は、前記光学部品は、光源からの光を記録媒体上で集光させ、かつ記録媒体で反射される反射光を平行光とする対物レンズであることを特徴とする。
【００１５】
また本発明は、前記把持部材は、前記対物レンズの面のうち、記録媒体に対向する面とは異なる面で前記対物レンズに取付けられることを特徴とする。
【００１６】
また本発明は、前記対物レンズを搭載する基台をさらに含むことを特徴とする。
また本発明は、前記基台は、前記対物レンズの一表面の外周部の少なくとも一部と接触して前記対物レンズを搭載し、かつ前記基台の面のうち前記把持部材に対向する第１の面が、前記把持部材の面のうち第１の面に対向する第２の面と接触しないことを特徴とする。
【００１７】
また本発明は、前記第１の面は、前記基台の面に形成される凹状の溝の底面であり、
その凹状の溝は、その凹状の溝の底面に垂直な方向の前記把持部材の厚みよりも深く、
前記第１の面の面積は、前記第２の面の面積よりも大きいことを特徴とする。
【００１８】
また本発明は、前記基台は、２個の前記対物レンズを搭載可能であり、
前記凹状の溝は、２個の前記対物レンズの間に形成され、
各前記対物レンズに取付けて設けられるそれぞれの前記把持部材は、接することなく対向して前記凹状の溝に収容されることを特徴とする。
【００１９】
また本発明は、前記把持部材は、前記対物レンズの面のうち記録媒体に対向する面で前記対物レンズに取付けられ、前記把持部材の面のうち記録媒体に対向する面が、前記対物レンズよりも記録媒体に近接していることを特徴とする。
【００２０】
また本発明は、前記把持部材は、予め定める条件によってグループに分類され、グループごとに異なる形態であることを特徴とする。
また本発明は、前記光ピックアップ装置を搭載することを特徴とする電子機器である。
【発明の効果】
【００２１】
本発明によれば、光源によって、光が出射されると、光学部品によって、光源から出射される光が記録媒体に導かれる。記録媒体で反射した反射光は、再び光学部品によって受光素子に導かれて、受光素子によって受光される。光学部品には、光学部品とは別体の把持部材が取付けられている。把持部材は、把持するために用いられ、把持部材を把持することによって、この把持部材に取付けられる光学部品を間接的に把持することができる。
【００２２】
したがって、把持部材を把持して光学部品を取扱うことができるので、光学部品が直接他のものに接触することがなく、光学部品を汚したり、損傷したりすることがない。さらに、光学部品には把持部材のみが取付けられるので、小型で信頼性の高い光学部品を、光ピックアップ装置に搭載することができる。
【００２３】
また本発明によれば、前記光ピックアップ装置を搭載するので、電子機器の信頼性を向上することができる。
【発明を実施するための最良の形態】
【００２４】
図１は、本発明の実施の一形態である光ピックアップ装置１の構成を模式的に示す図である。光ピックアップ装置である光ピックアップ装置１は、記録媒体である光ディスク２たとえばコンパクトディスク（Compact Disk：略称「ＣＤ」）およびデジタルバーサタイルディスクＤＶＤ（Digital Versatile Disk：略称「ＤＶＤ」）の両方またはいずれか１つの記録、再生および消去を行うことができる。
【００２５】
光ピックアップ装置１は、受発光一体型素子１１、ビームスプリッタ１２、コリメートレンズ１３、立ち上げミラー１４、対物レンズ１５、レンズ設置台１６、支持部１７、ハウジング１８および把持部材２１を含んで構成される。受発光一体型素子１１は、光たとえばレーザ光を出射する光源である発光素子と、光を受光して光信号を電気信号に変換する受光素子とが一体に成型されている。受発光一体型素子１１の表面には、回折格子が形成されており、光ディスク２で反射されてきた反射光が回折格子で分光され、受光素子に導かれる。
【００２６】
ビームスプリッタ１２は、たとえばダイクロイックプリズムによって構成され、受発光一体型素子１１から出射される光および光ディスク２で反射されてきた反射光を透過し、それらの光の一部を反射する。コリメートレンズ１３は、ビームスプリッタ１２を透過してきた光を平行光とし、光ディスク２で反射されてきた反射光を受発光一体型素子１１に集光する。
【００２７】
立ち上げミラー１４は、コリメートレンズ１３からの平行光を反射し、平行光の方向を光ディスク２のある方向に９０度変える。さらに、光ディスク２で反射されてきた反射光を反射し、反射光の方向を受発光一体型素子１１のある方向に９０度変える。光学部品である対物レンズ１５は、立ち上げミラー１４で反射された平行光を光ディスク２上の一点に集光し、光ディスク２で反射された反射光を平行光とする。
【００２８】
基台であるレンズ設置台１６は、対物レンズ１５を搭載する台であり、対物レンズ１５を搭載した状態で、Ｘ軸方向およびＺ軸方向に変移可能に支持部１７によって支持される。Ｙ軸方向は、受発光一体型素子１１から光が出射される方向であり、Ｚ軸方向は、光ディスク２の回転軸の方向であり、Ｘ軸方向は、Ｙ軸方向およびＺ軸方向の両方向に直交する方向である。
【００２９】
支持部１７は、レンズ設置台１６を支持し、ハウジング１８によって支持される。ハウジング１８は、受発光一体型素子１１、ビームスプリッタ１２、コリメートレンズ１３、立ち上げミラー１４および支持部１７を支持する。把持部材２１は、たとえば樹脂材料によって形成される部材であり、対物レンズ１５に取付けられる。把持部材２１として樹脂材料を用いるので、軽量化および低コスト化が可能である。
【００３０】
このように、把持部材２１は、樹脂材料からなるので、軽量な把持部材２１を容易にかつ安価に形成することができる。
【００３１】
さらに、前記光学部品は、光源からの光を記録媒体上で集光させ、かつ記録媒体で反射される反射光を平行光とする対物レンズ１５であるので、対物レンズ１５を汚れおよび損傷から防護することができ、対物レンズ１５の信頼度を向上することができる。
【００３２】
さらに、レンズ設置台１６によって、対物レンズ１５が搭載されるので、レンズ設置台１６の位置を調整しておけば、対物レンズ１５をレンズ設置台１６に搭載するだけで対物レンズ１５を目的の位置に配置することができる。
【００３３】
図２は、把持部材２１の取付け位置の第１の例を示す図である。対物レンズ１５は、レンズとして機能する有効領域Ｒ１とそれ以外の非有効領域Ｒ２とに分けられ、非有効領域Ｒ２のうちの一部がレンズ設置台１６に接触してレンズ設置台１６に搭載される。有効領域Ｒ１は、光学部品のうち、有効に用いられる光が通過する部分である。図２に示した例では、把持部材２１は、対物レンズ１５の面のうち光ディスク２に対向する面の非有効領域Ｒ２の部分で対物レンズ１５に取付けられる。
【００３４】
対物レンズ１５をレンズ設置台１６に搭載するとき、把持部材２１を金属ピンセット３１で掴んで対物レンズ１５を取扱う。把持部材２１を掴んで対物レンズ１５を取扱うことによって、対物レンズ１５の有効領域Ｒ１を汚したり、損傷したりすることを防止することができる。対物レンズ１５の有効領域Ｒ１を汚したり、損傷したりすることがないので、光学部品の性能および信頼性を損なうことがなく、高性能および高信頼性の光ピックアップ装置１を実現することが可能である。
【００３５】
図３は、把持部材２１を取付ける専用治具４１を示す図である。対物レンズ１５は、専用治具４１に載せられた後、対物レンズ１５の非有効領域Ｒ２の一部で、対物レンズ押さえ部４２によって抑えられて、専用治具４１に固定される。そして、対物レンズ１５の非有効領域Ｒ２の他の部分で、把持部材押さえ部４３によって、接着剤４４が塗られた把持部材２１を対物レンズ１５に押し付け、把持部材２１に塗られた接着剤４４によって把持部材２１と対物レンズ１５とを接着する。
【００３６】
このように、把持部材２１は、前記光学部品の一表面の外周部の少なくとも一部において外周縁からレンズ部材の光軸側に予め定める距離以下の距離にある領域で前記光学部品に取付けられている。すなわち、把持部材２１は、受発光一体型素子１１に含まれる発光素子からの光が透過する有効領域外の非有効領域に取付けられるので、光が透過する領域に影響を与えることがなく、光学部品たとえば対物レンズ１５の信頼度を向上することができる。
【００３７】
図４は、把持部材２１の取付け位置の第２の例を示す図である。図２に示した第１の例では、把持部材２１を対物レンズ１５の面のうち光ディスク２に対向する面に取付けたが、第２の例では、把持部材２１を対物レンズ１５の面のうち光ディスク２に対向する面と異なる面に取付ける。図４（ａ）は、光ディスク２側から見た図であり、図４（ｂ）は、光ディスク２の記録面に平行な方向から見た図である。
【００３８】
把持部材２１は、対物レンズ１５の面のうち光ディスク２に対向する面と異なる面の非有効領域Ｒ２に取付けられる。レンズ設置台１６には、凹状の溝１６ａが設けられ、溝１６ａの深さは、把持部材２１のＺ軸方向の厚さよりも深い。把持部材２１が溝１６ａに収容される位置で、対物レンズ１５は、レンズ設置台１６に搭載される。基準マーク１９は、対物レンズ１５をレンズ設置台１６に搭載するとき、対物レンズ１５の搭載方向の基準となる位置を示すマークである。
【００３９】
図４に示した第２の例では、把持部材２１を対物レンズ１５の面のうち光ディスク２に対向する面と異なる面に取付けているので、把持部材２１と光ディスク２との接触を避けることができる。
【００４０】
以上のように、把持部材２１を掴んで光学部品たとえば対物レンズ１５を取扱うことができるので、光学部品が直接他のものに接触することがなく、光学部品を汚したり、損傷したりすることがない。さらに、光学部品には把持部材２１のみが取付けられるので、小型で信頼性の高い光学部品を、光ピックアップ装置１に搭載することができる。
【００４１】
さらに、把持部材２１によって、対物レンズ１５の面のうち、光ディスク２に対向する面とは異なる面で対物レンズ１５が支持されるので、把持部材２１が光ディスク２と接触することを防止することができる。
【００４２】
さらに、レンズ設置台１６によって、対物レンズ１５の一表面の外周部の少なくとも一部と接触して対物レンズ１５が搭載され、かつレンズ設置台１６の面のうち把持部材２１に対向する第１の面が、把持部材２１の面のうち第１の面に対向する第２の面と接触しないので、受発光一体型素子１１に含まれる発光素子からの光が透過する領域を塞ぐことなく、かつ把持部材２１とレンズ設置台１６とが干渉することもなく、対物レンズ１５を搭載することができる。
【００４３】
さらに、前記第１の面は、レンズ設置台１６の面に形成される凹状の溝１６ａの底面であり、凹状の溝１６ａは、その凹状の溝１６ａの底面に垂直な方向の把持部材２１の厚みよりも深く、前記第１の面の面積は、前記第２の面の面積よりも大きいので、把持部材２１をレンズ設置台１６の凹状の溝１６ａに収容することができる。
【００４４】
図５は、把持部材２１の取付け位置の第３の例を示す図である。第３の例は、把持部材２１が第２の例で示したように取付けられた２個の対物レンズ１５をレンズ設置台１６に搭載する例である。第３の例では、凹状の溝１６ａは、２個の対物レンズ１５の間に設けられ、２個の対物レンズ１５の把持部材２１は、接することなく対向して、溝１６ａに収納される。
【００４５】
このように、レンズ設置台１６は、２個の対物レンズ１５を搭載可能であり、凹状の溝１６ａは、２個の対物レンズ１５の間に形成され、各対物レンズ１５を支持するそれぞれの把持部材２１は、接することなく対向して凹状の溝１６ａに収容される。すなわち、２レンズ方式の場合、溝１６ａを２個の把持部材２１で共通に使用するので、凹状の溝１６ａの部分の面積を抑えることができ、レンズ設置台１６の厚みが薄い箇所を可能な限り少なくし、レンズ設置台１６の強度を保つことができる。
【００４６】
図６は、把持部材２１の形態の例を示す図である。把持部材２１の形態は、形状あるいは色を目的に応じて変えることができる。たとえば、把持部材２１の先端部分の形状を、矩形、三角形および円形などの形状とする。あるいは把持部材２１の色を、赤色、青色および黄色などの色にすることができる。図６には、先端部分が矩形で赤色の把持部材２１ａ、先端部分が三角形で青色の把持部材２１ｂ、および先端部分が円形で黄色の把持部材２１ｃが示されている。
【００４７】
対物レンズを取扱うために用いるピンセットの形状、あるいは作業者に応じた把持部材の形状とすることができ、取付け作業の作業性を向上することができる。さらに、対物レンズのロット番号あるいは対物レンズを成型したキャビティごとに異なる形状あるいは色の把持部材にしておけば、把持部材の形状あるいは色によって、対物レンズのロット番号あるいはキャビティを識別することができる。
【００４８】
このように、把持部材２１は、予め定める条件によってグループに分類され、グループごとに異なる形態であるので、予め定める条件、たとえば対物レンズ１５を取扱うために用いるピンセットの形状、あるいは作業者に応じた把持部材２１の形状とすることができ、取付け作業の作業性を向上することができる。さらに、対物レンズ１５のロット番号あるいは対物レンズ１５を成型したキャビティごとに異なる形状あるいは色の把持部材２１にしておけば、把持部材２１の形状あるいは色によって、対物レンズ１５のロット番号あるいはキャビティを識別することができる。
【００４９】
図７は、把持部材２１の取付け位置の第４の例を示す図である。第４の例では、２個の把持部材２１が、対物レンズ１５の面のうち光ディスク２に対向する面の非有効領域Ｒ２に取付けられる。これら２個の把持部材２１の厚さは、図２に示した把持部材２１の厚さよりも厚くされている。厚さを増すことによって、光ディスク２と対物レンズ１５との接触を回避することができ、把持部材２１を対物レンズ１５の保護部材として機能させることができる。２個の把持部材２１は、重量バランスと保護性能とを勘案して、対物レンズ１５の光軸に対して対称な位置に配置される。
【００５０】
このように、把持部材２１は、対物レンズ１５の面のうち光ディスク２に対向する面で対物レンズ１５を支持し、把持部材２１の面のうち光ディスク２に対向する面が、対物レンズ１５およびレンズ設置台１６の面のいずれの面よりも光ディスク２に近接しているので、把持部材２１は、対物レンズ１５と光ディスク２とが接触した場合、対物レンズ１５の保護部材とすることができる。
【００５１】
光ピックアップ装置１は、電子機器たとえばカーナビゲーションシステム、次世代ブルーレイディスクシステムおよび薄型の携帯ノート型パーソナルコンピュータなどに搭載することが可能である。
【００５２】
このように、光ピックアップ装置１を搭載するので、電子機器の信頼性を向上することができる。
【図面の簡単な説明】
【００５３】
【図１】本発明の実施の一形態である光ピックアップ装置１の構成を模式的に示す図である。
【図２】把持部材２１の取付け位置の第１の例を示す図である。
【図３】把持部材２１を取付ける専用治具４１を示す図である。
【図４】把持部材２１の取付け位置の第２の例を示す図である。
【図５】把持部材２１の取付け位置の第３の例を示す図である。
【図６】把持部材２１の形態の例を示す図である。
【図７】把持部材２１の取付け位置の第４の例を示す図である。
【図８】従来の技術による対物レンズ１１５の取付け方法を説明するための図である。
【符号の説明】
【００５４】
１  光ピックアップ装置
２  光ディスク
１１  受発光一体型素子
１２  ビームスプリッタ
１３  コリメートレンズ
１４  立ち上げミラー
１５，１１５  対物レンズ
１６，１１６  レンズ設置台
１６ａ  溝
１７  支持部
１８  ハウジング
１９  基準マーク
２１  把持部材
３１  金属ピンセット
３２  エアピンセット
４１  専用治具
４２  対物レンズ押さえ部
４３  把持部材押さえ部
４４  接着剤
【図１】
2009093751.tif 000003
【図２】
2009093751.tif 000004
【図３】
2009093751.tif 000005
【図４】
2009093751.tif 000006
【図５】
2009093751.tif 000007
【図６】
2009093751.tif 000008
【図７】
2009093751.tif 000009
【図８】
2009093751.tif 000010